(57)【要約】【課題】本発明の目的は、応力集中を防止でき、高い強度を有する車両用前方シッピング・フック・アセンブリーを提供することにある。【解決手段】本発明の実施例による車両用前方シッピング・フック・アセンブリーは、車体に結合する装着ユニット及び前記装着ユニットの側面部に締結する垂直支持部と前記装着ユニットの下面部に締結する水平支持部を備えており、前記装着ユニットと前記車体に結合するフックを含む。フックを垂直支持部と水平支持部を通じて装着ユニット及び車体に締結することにより応力の集中が防止できる。【選択図】図８
2004314935.tif 000002
【特許請求の範囲】
【請求項１】
車体に結合する装着ユニット、及び
前記装着ユニットの側面部に締結する垂直支持部と前記装着ユニットの下面部に締結する水平支持部が備えられており、前記装着ユニットと前記車体に結合するフックを含むことを特徴とする車両用前方シッピング・フック・アセンブリー。
【請求項２】
前記装着ユニットの前記側面部と前記下面部は、各々二つのプレートで形成することを特徴とする請求項１に記載の車両用前方シッピング・フック・アセンブリー。
【請求項３】
前記フックは前記垂直支持部と前記水平支持部とを結合する連結部をさらに含み、
前記連結部には牽引孔を形成することを特徴とする請求項１に記載の車両用前方シッピング・フック・アセンブリー。
【請求項４】
前記垂直支持部は前記連結部から傾いて延長した部分を経て、再び垂直方向に延びて形成し、
前記水平支持部は前記連結部から傾いて延長した部分を経て水平方向に折曲げて形成することを特徴とする請求項３に記載の車両用前方シッピング・フック・アセンブリー。
【請求項５】
前記垂直支持部と前記水平支持部は各々四角形プレート形状であることを特徴とする請求項３に記載の車両用前方シッピング・フック・アセンブリー。
【請求項６】
前記垂直支持部と前記水平支持部の各々には締結孔を形成し、
前記装着ユニットの前記側面部と前記下面部の各々には締結孔を形成することを特徴とする請求項１に記載の車両用前方シッピング・フック・アセンブリー。
【請求項７】
前記フックの前記垂直支持部に形成した前記締結孔は、前記装着ユニットの前記側面部に形成した前記締結孔と整列して、前記フックの前記水平支持部に形成した前記締結孔は前記装着ユニットの前記下面部に形成した前記締結孔と整列することを特徴とする請求項６に記載の車両用前方シッピング・フック・アセンブリー。
【請求項８】
前記フックの前記垂直支持部にフランジを一体に形成することを特徴とする請求項１に記載の車両用前方シッピング・フック・アセンブリー。
【発明の詳細な説明】
【技術分野】
【０００１】
本発明は自動車の前方シッピング・フック・アセンブリーに関する。
【背景技術】
【０００２】
自動車の前方シッピング・フック・アセンブリーは自動車を牽引するために車両に設置する装置であり、その主要部はフックである。
【０００３】
図１に示すように、フック１０は、一般に車両の左右側面に平行な板状の部分で、前方サイドメンバ２０の下に設置する。一般的なフックの取付位置を破線で表示する。
【０００４】
図２に示すように、一般的にフック１０の主要構成要素は、複数のボルト１８により前方サイドメンバ２０に締結する平板形状のベース部１２、ベース部１２からその下側方向に延びて形成した連結部１４である。連結部１４には牽引車などの締結部と繋ぐための孔１６を形成する。
【０００５】
図３に示すように、前方サイドメンバ２０は、前方サイドインナメンバ２１と前方サイドアウタメンバ２２で構成し、その断面形状は全体的に四角形状を有する。前方サイドメンバ２０下部にはサブフレーム３０を配置する。そして、装着ユニット４０と補強部材５０、６０を前方サイドメンバ２０とサブフレーム３０の間に配置する。サブフレーム３０、補強部材５０、６０、及び装着ユニット４０はボルト７０を介して互いに締結する。
【０００６】
フック１０には前方サイドメンバ２０及び装着ユニット４０の下部延長部の形状に沿って外部へ傾いて形成する傾斜部Ａを備える。
図２において、左に牽引すると、フック１０に荷重がかかり、連結部１４の右縁部分には下向きの引張力、ベース部１２の左下部には上向きの圧縮力が集中する。このような力の集中により、フック１０の損傷を起こすことがある。
【０００７】
特許文献１には、フックの取付強度を向上させる方法が開示されている。
【特許文献１】特開平１０−３１００８６号公報
【発明の開示】
【発明が解決しようとする課題】
【０００８】
本発明の目的は、応力集中を防止することができ、高強度を有する車両用前方シッピング・フック・アセンブリーを提供することにある。
【課題を解決するための手段】
【０００９】
本発明の実施例による車両用前方シッピング・フック・アセンブリーは、車体に結合する装着ユニット、及び前記装着ユニットの側面部に締結する垂直支持部と前記装着ユニットの下面部に締結する水平支持部が備えられており、前記装着ユニットと前記車体に結合するフックを含む。
【００１０】
前記装着ユニットの前記側面部と前記下面部は、各々二つのプレートで形成するのが好ましい。前記フックは前記垂直支持部と前記水平支持部とを結合する連結部をさらに含み、前記連結部には牽引孔を形成することが好ましい。
【００１１】
前記垂直支持部は前記連結部から傾いて延長した部分を経て、再び垂直方向に延びて形成することが好ましい。前記垂直支持部と前記水平支持部は各々四角形プレート状であることが好ましい。
【００１２】
前記垂直支持部と前記水平支持部の各々には締結孔を形成し、前記装着ユニットの前記側面部と前記下面部の各々には締結孔を形成することが好ましい。
【００１３】
前記フックの前記垂直支持部に形成した前記締結孔は、前記装着ユニットの前記側面部に形成した前記締結孔と整列して、前記フックの前記水平支持部に形成した前記締結孔は前記装着ユニットの前記下面部に形成した前記締結孔と整列することが好ましい。
前記フックの前記垂直支持部にフランジを一体に形成することが好ましい。
【発明の効果】
【００１４】
フックを垂直支持部と水平支持部により装着ユニット、及び車体に締結するので応力の集中を防止できる。
【発明を実施するための最良の形態】
【００１５】
以下、本発明の好ましい実施例を添付図面を参照して詳細に説明する。
【００１６】
図４に示すように、本発明の実施例による前方シッピング・フック・アセンブリー１００は、フック１１０と装着ユニット１２０を含む。フック１１０は図５に示すように、連結部１１１と垂直支持部１１２及び水平支持部１１３を主要素として構成する。
【００１７】
連結部１１１は平板形状であり、連結部１１１面に垂直な方向が車両の側方向（Ｙ方向）と一致するように設置する。連結部１１１には牽引孔１１４を形成し、この牽引孔１１４は車両の牽引のための牽引部材が挿入できるように形成する。
【００１８】
図５に示すように垂直支持部１１２は、連結部１１１上端から延びて外側に折曲がった部分を経て、再び上方に折り曲げて形成する。垂直支持部１１２は全体的に四角形状を有し、その強度を高めるための補強突起１１５を形成する。補強突起１１５は垂直支持部１１２の垂直方向に沿って形成するのが好ましい。補強突起１１５の両側にはボルト結合のための締結孔１１６、１１８を形成する。
【００１９】
水平支持部１１３は、連結部１１１上端から延びて前記垂直支持部１１２の下部とは反対方向（内側）に折曲げた後、水平方向に延ばして形成する。水平支持部１１３は大略長方形の平板形状を有する。水平支持部１１３にはボルト結合のための締結孔１１７を形成する。
【００２０】
連結部１１１、垂直支持部１１２及び水平支持部１１３を含むフック１１０は、鋳造あるいは鍛造、フォーミングのようなプレス成形により一体のワンピースタイプに作製するのが好ましい。また、２枚の板材を重ねて溶接し、一体化してもよい。
【００２１】
前記フック１１０は、垂直支持部１１２と水平支持部１１３を備えており多面支持構造を実現した点に特徴がある。多面支持が可能な範囲内で様々な形状及び配列の変更が可能である。
【００２２】
図４に示すように、フック１１０の水平支持部１１３は装着ユニット１２０下面に結合し、フック１１０の垂直支持部１１２は装着ユニット１２０の側面に結合する。
【００２３】
図４に示すように、装着ユニット１２０は後方装着部材１３０と前方装着部材１４０が互いに重なるように結合して形成する。つまり、本実施例の装着ユニット１２０は、後方装着部材１３０と前方装着部材１４０が一体に結合して形成するツーピースタイプである。
【００２４】
図６に示すように、後方装着部材１３０の下部は、第１ベースプレート１３１、第２ベースプレート１３２、及び第１ベースプレート１３１と第２ベースプレート１３２を連結する傾斜板１３３により構成する。後方装着部材１３０は２層の階段状に形成する。後方装着部材１３０は、第１ベースプレート１３１、傾斜板１３３、及び第２ベースプレート１３２の両側から垂直上方向に延ばして形成する左側板１３４と右側板１３５を含む。
【００２５】
左側板１３４にはボルト締結のための締結孔１３６を形成し、第１ベースプレート１３１にもボルト締結のための締結孔１３７を形成する。この時、左側板１３４と右側板１３５の高さは同じであることが好ましい。
【００２６】
図７に示すように、前方装着部材１４０は後方装着部材１３０と対称的な形状を有する。
【００２７】
前方装着部材１４０の下部は、第１ベースプレート１４１、第２ベースプレート１４２、及び第１ベースプレート１４１と第２ベースプレート１４２を連結する傾斜板１４３で構成する。
【００２８】
そして、後方装着部材１４０は、第１ベースプレート１４１、傾斜板１４３、及び第２ベースプレート１４２の両側から垂直上方向に延ばして形成する左側板１４４と右側板１４５を含む。左側板１４４にはボルト締結のための締結孔１４６、１４８を形成し、第１ベースプレート１４１にもボルト締結のための締結孔１４７を形成する。
【００２９】
図４に示すように、前方装着部材１４０に後方装着部材１３０を挿入するため、前方装着部材１４０の幅（左右側板の内側間隔）は後方装着部材１３０の幅（左右側板の外側間隔）より少し広く形成する。
【００３０】
前方装着部材１４０の第１ベースプレート１４１は、後方装着部材１３０の第１ベースプレート１３１を収容できるような長さに形成する。
【００３１】
装着ユニット１２０はフック１１０を結合する水平面と垂直面を提供する。装着ユニット１２０は水平面と垂直面を含む範囲で様々な変形が可能であることは勿論である。
【００３２】
図４に示すように、前記フック１１０と装着ユニット１２０を、互いに締結する。ここで、Ｘ方向は車両の縦（前後）方向であり、Ｙ方向は車両の横（左右）方向である。
【００３３】
次に、後方装着部材１３０と前方装着部材１４０との結合をより詳細に説明する。
【００３４】
後方装着部材１３０の左側板１３４の締結孔１３６を前方装着部材１４０の左側板１４４の締結孔１４６に位置合わせできるように、後方装着部材１３０を前方装着部材１４０に挿入する。この時、後方装着部材１３０の第１ベースプレート１３１の締結孔１３７は、前方装着部材１４０の第１ベースプレート１４１の締結孔１４７と位置合わせする。この状態で後方装着部材１３０の左側板１３４と右側板１３５は、前方装着部材１４０の左側板１４４と右側板１４５に各々密着する。
【００３５】
従って、後方装着部材１３０と前方装着部材１４０を互いに密着させて形成する装着ユニット１２０は、その下部面と両側面の強度を向上することができる。
【００３６】
図４に示すように、フック１１０が装着ユニット１２０に付着した状態で、垂直支持部１１２の締結孔１１６は後方装着部材１３０の締結孔１３６及び前方装着部材１４０の締結孔１４６と位置合わせし、垂直支持部１１２の締結孔１１８は前方装着部材１４０の締結孔１４８と位置合わせし、水平支持部１１３の締結孔１１７は後方装着部材１３０の締結孔１３７及び前方装着部材１４０の締結孔１４７と位置合わせする。
【００３７】
この状態で、位置合わせした締結孔１１６、１４６、１３６を通じてボルト結合を行い、位置合わせした締結孔１１８、１４８を通じてボルト結合を行い、位置合わせした締結孔１１７、１４７、１３７を通じてボルト結合を行うことにより、フック１１０は後方装着部材１３０と前方装着部材１４０とに同時に締結できる。
【００３８】
フック１１０の垂直支持部１１２は、後方装着部材１３０の左側板１３４と前方装着部材１４０の左側板１４４に同時に締結し、フック１１０の水平支持部１１３は、後方装着部材１３０の第１ベースプレート１３１と前方装着部材１４０の第１ベースプレート１４１に同時に締結する。
【００３９】
図８には本発明の実施例による前方シッピング・フック・アセンブリー１００を車両に装着した状態を示している。
【００４０】
図８に示すように、後方装着部材１３０と前方装着部材１４０は車体２００に装着する。後方装着部材１３０と前方装着部材１４０は車体２００の第１フレーム２０１と第２フレーム２０２に結合する。第１フレーム２０１は前方サイドインナメンバであり、第２フレーム２０２は前方サイドアウタメンバである。
【００４１】
図８に示すように、フック１１０の垂直支持部１１２はボルト３０１を通じて装着ユニット１２０及び車体２００の第２フレーム２０２に結合し、フック１１０の水平支持部１１３は、ボルト３０２を通じて装着ユニット１２０及び車体２００のサブフレーム２０３に結合する。従って、フック１１０を垂直方向及び水平方向に堅固に車体２００に締結する。
【００４２】
本発明の実施例による前方シッピング・フック・アセンブリーのフックは、水平方向及び垂直方向の二つの方向に伸びた板状部材で車体に締結するため応力集中を防止できる。つまり、フックを二つの面により装着するため、フックを一つの面により装着する従来の場合に比べて応力集中を著しく低減できる。
【００４３】
本発明の実施例による前方シッピング・フック・アセンブリーは別途の補強部材を使用せずに十分な強度を有する。
【００４４】
図９には本発明の他の実施例を示している。本実施例でのフック４００の連結部４１１と垂直支持部４１２には強度を高めるためのフランジ（突起）４５０を形成する。水平支持部４１３には二つ以上のボルト締結孔４１９を形成する。
【００４５】
前記実施例では、装着ユニットを後方装着ユニットと前方装着ユニットで構成する場合を示したが、装着ユニットを充分な強度を有する一つの部材で形成しても良い。
【００４６】
以上で本発明の好ましい実施例を説明したが、本発明は上記実施例に限定されるものではなく、その技術的範囲内において本発明の実施例から本発明の属する技術分野における通常の知識を有する者により容易に変更され得るであろう。
【図面の簡単な説明】
【００４７】
【図１】前方シッピング・フック・アセンブリーを装着した車両の全体側面を示す側面図である。
【図２】従来の前方シッピング・フック・アセンブリーを示す斜視図である。
【図３】図２の車両前方からみた図面である。
【図４】本発明の実施例による前方シッピング・フック・アセンブリーの斜視図である。
【図５】図４の前方シッピング・フック・アセンブリーのフック部分の斜視図である。
【図６】図４の前方シッピング・フック・アセンブリーの後方装着部材を示す図面である。
【図７】図４の前方シッピング・フック・アセンブリーの前方装着部材を示す図面である。
【図８】図４の前方シッピング・フック・アセンブリーを車体に装着した状態を示す断面図である。
【図９】本発明の他の実施例による前方シッピング・フック・アセンブリーのフックの形状を示す図面である。
【符号の説明】
【００４８】
１０、１１０、４００    フック
１００    前方シッピング・フック・アセンブリー
１１１    連結部
１１４    牽引孔
１２０    装着ユニット
１３０    後方装着部材
１４０    前方装着部材
１１２、４１２    垂直支持部
１１３、４１３    水平支持部
１３１、１４１    第１ベースプレート
１３２、１４２    第２ベースプレート
【図１】
2004314935.tif 000003
【図２】
2004314935.tif 000004
【図３】
2004314935.tif 000005
【図４】
2004314935.tif 000006
【図５】
2004314935.tif 000007
【図６】
2004314935.tif 000008
【図７】
2004314935.tif 000009
【図８】
2004314935.tif 000010
【図９】
2004314935.tif 000011